(57)【要約】【課題】従来のバンドにはバックルが付いており、バックルにおける係合のためにバンドの特定部分のみが酷使され、寿命が短くされていた。また、バックルと細くて薄い帯状のもので連結されているバンド端部保持輪が紛失すると、バンドの端部がヒラヒラ動いて鬱陶しいということがあった。【解決手段】本考案のバンドは、帯状のバンド本体１の表側においては、バンドを締めた場合に下側となる端部１Ｂの近傍に第１の面ファスナー４，５が設けられ、バンド本体１の裏側においては、バンドを締めた場合に上側となる端部１Ａの近傍に前記第１の面ファスナーと係合する第２の面ファスナー６，７が設けられた構成とする。バンドを締める際には、第１の面ファスナー４，５の上に第２の面ファスナー６，７を押圧係合して締める。バックルが無いので特定部分のみが酷使されることがなく、寿命が長くなる。また、上側端部１Ａは下側端部１Ｂにピタリと付けられるので、ヒラヒラすることがない。【選択図】図１
0003137768.tif 000002
【実用新案登録請求の範囲】
【請求項１】
帯状のバンド本体の表側においては、バンドを締めた場合に下側となる端部の近傍に第１の面ファスナーが設けられ、
バンド本体の裏側においては、バンドを締めた場合に上側となる端部の近傍に前記第１の面ファスナーと係合する第２の面ファスナーが設けられた構成とされ、
バンドを締める際には、前記第１の面ファスナーの上に前記第２の面ファスナーを押圧係合して締める
ことを特徴とするバンド。
【請求項２】
帯状のバンド本体の表側の部分であって、バンドを締めたときに身体の正面となる部分付近をはじめとする任意の部分に、更に第３の面ファスナーを設けた構成とし、
裏面に該第３の面ファスナーと係合する面ファスナーが固着された物を該第３の面ファスナーに着脱自在に取付可能とした
ことを特徴とする請求項１記載のバンド。
【考案の詳細な説明】
【技術分野】
【０００１】
本考案は、ズボン等に使用するバンドに関するものである。
【背景技術】
【０００２】
図４は、従来のバンドを示す図である。図４において、１はバンド本体、１Ａは上側端部、１Ｂは下側端部、２はバックル、３はバンド端部保持輪、２０はズボン、２１はバンド通しである。図４（１）はバンドを正面から見た図、図４（２）はバンドを上から見た図、図４（３）はズボンに使用した時の図である。
バンドは、言うまでもなく細い帯状をしており、端部は２つある。ズボン等に使用する際、バンドの端部は重ねられる形になるわけであるが、その時下側になる方の端部が下側端部１Ｂであり、上側になる方の端部が上側端部１Ａである。
【０００３】
図４（２）に示すように、バンド本体１の下側端部１Ｂはバックル２に固着される。その下側端部１Ｂの近くには、予めバンド端部保持輪３が設けられている。バンド端部保持輪３は、バックル２と細くて薄い帯状のもので連結されており、バックル２からあまり遠く離れないようにされている。
他方の端部である上側端部１Ａは、バックル２に挿通ないしは係合された後、バンド端部保持輪３に挿通される。バンド端部保持輪３への挿通により、上側端部１Ａはバックル２を出た後ヒラヒラせず、その下側になっているバンド本体１に沿った位置を保持するようにされる。
このようなバンドをズボンに使用する時には、図４（３）に示すように、ズボン２０に予め設けられているバンド通し２１に挿通して用いられる。
【特許文献１】特開平１１−２００１１４号公報
【考案の開示】
【考案が解決しようとする課題】
【０００４】
（問題点）
前記した従来のバンドには、次のような問題点があった。
第１の問題点は、バンド端部保持輪３が無くなると、上側端部１Ａをバンド本体１に沿った位置に保持することが難しく、ヒラヒラ動いて鬱陶しいという点である。
第２の問題点は、バックル２の存在によりバンド本体１の特定の一部分のみが酷使され、バンドの寿命が短くなるという点である。
【０００５】
（問題点の説明）
まず第１の問題点について説明する。バンド端部保持輪３をバックル２と連結しているのは、細くて薄い帯状のものであるので、いつの間にか切れてしまい、バンド端部保持輪３が無くなってしまうことがしばしばある。その場合、バックル２を出た後の上側端部１Ａがヒラヒラして、やたらに腕に触れたりして始末に終えなくなる。
ただ、バンド通し２１が設けられているズボン２０等に使用する際には、ズボン２０のバンド通し２１が、そのヒラヒラをある程度は押さえてくれる。しかし、ズボン２０のバンド通し２１の大きさは、ズボン２０をはく人の好みにより、種々の大きさのバンドを使用することが予想されるので、多少大きめに作ってある。そのため、上側端部１Ａをバンド本体１にピッタリと沿わせて保持するという程の作用はしてくれない。
上側端部１Ａの先端付近が、丁度バンド通し２１のところに位置すれば、ヒラヒラを押さえる効果は一番あるわけであるが、その位置にあると先端が腕に触れてそのバンド通し２１から外れてしまう可能性が高く、大きなヒラヒラを招く可能性も高くなる。
【０００６】
次に第２の問題点について説明する。バックル２には大きく分けて２つのタイプがある。第１のタイプは、バックル２の金属棒をバンド本体１に開けた穴に係合するというタイプである。第２のタイプは、バックル２に挿通したバンド本体１をバックル２の部分で強く挟持するというタイプである。
第１のタイプのものでは、胴回りはそれほど変化しないから、係合する穴はいつも同じ穴になり、他の穴は殆ど使用されない。すると、いつも使用する穴は次第に大きくなると共に、度重なる係合により傷んで来る。バンド本体１も、いつもその穴の部分で折り曲げられるなど、その部分が酷使されるので、その部分の傷みが激しくなる。
第２のタイプのものでも、バックル２に強く挟持される部分はいつも決まった部分となり、そこが繰り返し挟持されるので、その部分の傷みが激しくなる。
従って、いずれのタイプのものでも、特定の一部分のみが酷使され、バンドの寿命が短くなってしまう。
本考案は、以上のような問題点を解決することを課題とするものである。
【課題を解決するための手段】
【０００７】
前記課題を解決するため、本考案のバンドでは、帯状のバンド本体の表側においては、バンドを締めた場合に下側となる端部の近傍に第１の面ファスナーが設けられ、バンド本体の裏側においては、バンドを締めた場合に上側となる端部の近傍に前記第１の面ファスナーと係合する第２の面ファスナーが設けられた構成とし、バンドを締める際には、前記第１の面ファスナーの上に前記第２の面ファスナーを押圧係合して締めるものとした。
【０００８】
また、上記の構成に加え、帯状のバンド本体の表側の部分であって、バンドを締めたときに身体の正面となる部分付近をはじめとする任意の部分に、更に第３の面ファスナーを設けた構成とし、裏面に該第３の面ファスナーと係合する面ファスナーが固着された物を該第３の面ファスナーに着脱自在に取付可能としてもよい。
【考案の効果】
【０００９】
本考案のバンドによれば、次のような効果を奏する。
１．バンドを締めたとき、バンド本体の上側端部がバンド本体の外側にピタリと沿った形で保持されるので、バンドの先端がヒラヒラして始末に困るということがない。
２．バックルを用いない構造としたので、バンド本体の特定の一部分のみが酷使されるということがなくなり、バンドの寿命が長くなる。
【考案を実施するための最良の形態】
【００１０】
以下、本考案の実施形態を図面に基づいて詳細に説明する。
（第１の実施形態）
図１は、本考案のバンドの第１の実施形態を示す図である。符号は図４のものに対応し、４〜８は面ファスナーである。図１（１）は真っ直ぐに延ばしたバンドの外側面を示す図、図１（２）は内側面を示す図、図１（３）は丸くしたバンドの斜視図、図１（４）はバンドを締めた時の正面図である。
【００１１】
図１（１）に示すように、バンド本体１の外側面の下側端部１Ｂには面ファスナー５が固着され、それから少し離れて面ファスナー４が固着される。また、図１（２）に示すように、バンド本体１の内側面の上側端部１Ａには面ファスナー６が固着され、それから少し離れて面ファスナー７が固着される。なお、面ファスナー６，７は、面ファスナー４，５に対して係合するタイプの面ファスナーとする。更に、内側面のほぼ中央には、幅狭く面ファスナー８が固着される。
【００１２】
本考案のバンドを使用する際には、図１（３）のように外側面が外になるようにして丸くし、上側端部１Ａの内側面の面ファスナー６を、下側端部１Ｂの外側面の面ファスナー４または５に押圧係合させる。この時、上側端部１Ａの内側面の面ファスナー７も、自ずと面ファスナー４または５に押圧係合させられる。このように押圧係合したバンドを正面から見ると、図１（４）に示すが如き状態になる。
面ファスナー６を、上側端部１Ａの先端まで施しておけば、係合した際、その先端までピッタリと面ファスナー４に係合するので、従来のバンドのように、上側端部１Ａがヒラヒラするようなことは、決して起こらない。
【００１３】
以上の説明から理解されるように、本考案のバンドは、下側端部１Ｂの外側面の面ファスナー４，５（第１の面ファスナー）と、上側端部１Ａの内側面の面ファスナー６，７（第２の面ファスナー）とを係合させて、バンドとしての締結作用を行うようにしたものである。従って、図示した例では面ファスナー４，５を分離独立したものとしているが、それは面ファスナーの使用量を減らしてコストを安くしようとしたためであり、両者を連続したものとしてもよい。面ファスナー６，７についても同様である。
【００１４】
ところで、従来のバンドにはバックルが付いているが、バックルはズボンのバンド通しを通す必要があるものとは考えられておらず（バンド通しを通すのはバンド本体のみと考えられていた）、バンド通しを通るような大きさとなるよう注意して作られてはいない。その結果、バックルはズボンのバンド通しに通すことが出来ない大きさとなっているのが通常である。
そのため、従来のバンドをズボンに装着する際には、バックル２が付いていない方の端部である上側端部１Ａを先頭にして、ズボンの正面の左側にある第１のバンド通しから、順々に通して行っていた。
【００１５】
これに対し本考案のバンドでは、そもそもバックルが存在しないので、ズボンに装着する際、どのバンド通しから通し始めてもよい。従来のように、ズボン正面左側の第１のバンド通しから始めてもよいし、ズボン背部のバンド通しから始めてもよい。
本考案で内側面のほぼ中央に固着した面ファスナー８は、ズボンをはいた状態で、背部から両側方に向かって各端部をバンド通しに挿通する場合の便のために、目印用として設けられたものである。面ファスナー８があれば、身体の後ろに回した手で触るだけでバンドの中央付近を知ることが出来る。そこから左半分，右半分に分け、それぞれ左側，右側のバンド通しに通して行くことが出来る。
【００１６】
（第２の実施形態）
図２は、本考案のバンドの第２の実施形態を示す図である。符号は図１のものに対応し、９は面ファスナーである。
第１の実施形態のバンドと比べて構成上相違する点は、バンドの外側面の任意の部分にアクセサリー等取付用の面ファスナー９を新たに取付けた点である。図２では、バンドを締めた時に身体の正面となる部分付近に面ファスナー９を取付けた例を示している。身体の正面になる部分は、図２（１）に示すように、バンドの外側面において上側端部１Ａから少し中央方向へ離れた部分である。その付近に面ファスナー９を設ける。バンドを締めた状態では、図２（４）に示すようになる。
【００１７】
バンドの外側面の適宜箇所に面ファスナー９を取付けておき、ここへ面ファスナー９と係合するタイプの面ファスナーを裏面に取付けたアクセサリー体等を取り付ける。アクセサリー体等は着脱自在に取り付けることが可能であるから、時に応じていろいろなアクセサリー体等を取り付けて楽しむことが出来る。
図３は、本考案のバンドに取り付けるアクセサリー体等を説明する図である。符号は図２のものに対応し、１０は時計、１１は時計本体、１２，１３は時計バンド、１４，１５，１６は面ファスナー、１７はアクセサリー体、１８は面ファスナーである。
【００１８】
図３（１）〜（３）は、時計１０を面ファスナー９に取り付ける場合を示している。時計１０は、実用性を帯びているものであるから、純粋なアクセサリー体ということにはならない。しかし、ファッション性の方を重視して取り付けようとする人にとっては、アクセサリー体と見ることも出来る。
図３（１）は時計１０の表側であり、図３（２）は裏側である。図３（３）は、時計１０をバンド本体１の面ファスナー９に取付けた状態を示している。時計バンド１２，１３の裏面には、それぞれ面ファスナー１５，１６を固着しておく。
時計１０の裏面を面ファスナー９に押圧すれば、面ファスナー１５，１６が面ファスナー９に係合されて、図３（３）に示すように時計１０が着脱自在に取付けられる。
この場合、面ファスナー１５，１６の面積は、時計１０の重量等を考慮して決定することが出来る（重量大なほど面積を大にする）。
【００１９】
次に面ファスナー１４の役割について説明する。時計をバンドから外して従来通り腕に巻くことも可能なようにする場合、締結手段としての金具は当然必要である。しかし、金具を残しておいたのでは、時計１０をバンド本体１に取付けた場合にその金具がブラブラして邪魔になるから嫌だということであれば、金具を除去してしまってもよい。その場合、時計バンドの締結を面ファスナーによって行うのが好適である。
図３では、金具を除去した場合を示している。即ち、締結手段としての金具を除去し、金具が付いていた側（時計バンド１３側）の端部の表側に、上記面ファスナー１５と係合するタイプの面ファスナー１４を固着する。そして、腕に巻いて使用する場合には、反対側の時計バンド１２の裏面の面ファスナー１５をその上に押圧係合して締結を行う。
【００２０】
図３（４）〜（６）は、純粋なアクセサリー体１７を面ファスナー９に取り付ける場合を示している。適宜な形状に作られたアクセサリー体１７の裏面に、図３（５）のように面ファスナー１８が固着される。裏面全体に面ファスナーを施すか一部だけに施すかは、アクセサリー体１７の重量，大きさ等により決定される。要するに、アクセサリー体１７をバンド本体１上に支持するに充分な力が得られればよい。
図３（６）は、アクセサリー体１７を、面ファスナー９の任意の位置に取付けた状態を示している。面ファスナーでの取付けであるから、着脱自在であり、好みに応じてアクセサリー体１７を交換してファッションを楽しむことが出来る。
【図面の簡単な説明】
【００２１】
【図１】本考案のバンドの第１の実施形態を示す図
【図２】本考案のバンドの第２の実施形態を示す図
【図３】本考案のバンドに取り付けるアクセサリー体を説明する図
【図４】従来のバンドを示す図
【符号の説明】
【００２２】
１…バンド本体、１Ａ…上側端部、１Ｂ…下側端部、２…バックル、３…バンド端部保持輪、４〜９…面ファスナー、１０…時計、１１…時計本体、１２，１３…時計バンド、１４，１５，１６…面ファスナー、１７…アクセサリー体、１８…面ファスナー、２０…ズボン、２１…バンド通し
【図１】
0003137768.tif 000003
【図２】
0003137768.tif 000004
【図３】
0003137768.tif 000005
【図４】
0003137768.tif 000006